(57)【要約】【課題】設置場所を選ばず、ゴミ回収扉を開閉する際のゴミ袋の巻き込みを防止するゴミ収納庫を提供する。【解決手段】本発明のゴミ収納庫１は、ゴミ投入扉２ａ，２ｂが正面に、ゴミ回収扉４ａ，４ｂが背面に設けられ、本体フレーム１ａにゴミ回収扉４ａ，４ｂの裏面に当接して、ゴミ袋の巻き込みを防止するための巻き込み防止板７を設けたことを特徴とし、ゴミ回収扉４ａ，４ｂを開けようとした場合に、ゴミ回収扉４ａ，４ｂの裏面が巻き込み防止板７により擦られながら開けられるため、ゴミ袋が本体フレーム１ａとゴミ回収扉４ａ，４ｂとの間の隙間に挟まれるといった問題が解消される。【選択図】　図１
2004123289.tif 000002
【特許請求の範囲】
【請求項１】
本体の正面にゴミ投入扉を設けると共に、本体の背面にゴミ回収扉を設けたことを特徴とするゴミ収納庫。
【請求項２】
前記ゴミ投入扉及びゴミ回収扉は、本体フレームに設けられた上下一対の直動レールに沿って移動することで開閉自在な一対の扉から成ることを特徴とする請求項１に記載のゴミ収納庫。
【請求項３】
前記本体フレームに、前記ゴミ回収扉の裏面に当接し、ゴミ袋の巻き込みを防止するための巻き込み防止部材を設けたことを特徴とする請求項１に記載のゴミ収納庫。
【請求項４】
前記巻き込み防止部材は、巻き込み防止板と、この巻き込み防止板を固定する巻き込み防止板固定用アングルから成ることを特徴とする請求項３に記載のゴミ収納庫。
【請求項５】
本体の正面にゴミ投入扉を設けると共に、本体の側面にゴミ回収扉を設けたことを特徴とするゴミ収納庫。
【発明の詳細な説明】
【０００１】
【発明の属する技術分野】
本発明は、家庭や店舗等から出されたゴミを、ゴミ回収車が回収に来るまでの間、収納しておくゴミ収納庫に関する。
【０００２】
【従来の技術】
従来、この種のゴミ収納庫には、例えば引き違い扉の各枚に押し開き扉を内蔵し、ゴミ袋の投入と回収とで扉を使い分けるもの、あるいは正面の開口部から前方に引き出し可能なゴミ収納部を各区画内に設けたものが、特許文献１に記載されている。
【０００３】
【特許文献１】
特開２０００−３２７１０３号公報
【０００４】
【発明が解決しようとする課題】
しかしながら、上記ゴミ収納庫は、ゴミ袋の投入と回収をゴミ収納庫の正面に設けられた扉からのみで行わなければならなかったので、ゴミ収納庫の設置場所によっては、不便な場合があった。
【０００５】
例えば、図７（ａ）に示すような歩道の端に設けられた塀に背を向けて設置する場合は良いが、図７（ｂ）に示すような塀のない歩道に道路に面して設置する場合には、ゴミ袋の投入と回収とをゴミ収納庫の同じ側から行うのは不便であった。
【０００６】
例えば、扉のある面を道路に向けるとゴミ回収車によるゴミ袋回収には便利であるが、ゴミ袋の投入には道路側に人が出なければならないので危険かつ不便であった。
【０００７】
一方、図７（ｃ）に示すように扉のある面を歩道側に向けるとゴミ袋の投入には便利かつ安全であるが、ゴミ回収者にとっては歩道側に回り込まなければならないので、不便となる。
【０００８】
【課題を解決するための手段】
そこで、本発明のゴミ収納庫は、ゴミ投入扉を正面に、ゴミ回収扉を背面に設けたことを特徴とするものである。すなわち、ゴミ投入作業とゴミ回収作業とを本体の異なる側から行えるようになるので、両作業を安全かつ便利に行うことができる。
【０００９】
ここで、前記ゴミ投入扉及びゴミ回収扉は、本体フレームに設けられた上下一対の直動レールに沿って移動することで開閉自在な一対の扉から成ることを特徴とするものである。
【００１０】
また、前記本体フレームに、前記ゴミ回収扉の裏面に当接し、ゴミ袋の巻き込みを防止するための巻き込み防止部材を設けたことを特徴とするものである。
【００１１】
更に、前記巻き込み防止部材は、巻き込み防止板と、この巻き込み防止板を固定する巻き込み防止板固定用アングルから成ることを特徴とするものである。
【００１２】
【発明の実施の形態】
以下本発明の一実施形態のゴミ収納庫について図面を参照しながら説明する。図１はゴミ収納庫の斜視図で、図２は、このゴミ収納庫の背面図である。
【００１３】
このゴミ収納庫１の本体の正面にゴミ投入扉２ａ，２ｂが設けられ、本体フレーム１ａに設置された一対の直動レール（図示省略）を介して左右に互い違い移動自在に構成されている。３は前記ゴミ投入扉２ａ，２ｂの取っ手である。
【００１４】
また、その本体の背面にゴミ回収扉４ａ，４ｂが設けられ、本体フレーム１ａに設置された直動レール５（図４参照）を介して左右に移動自在で、その中央部で当該ゴミ回収扉４ａ，４ｂ同士が閉め合わされるように構成されている。６は前記ゴミ回収扉４ａ，４ｂの取っ手である。
【００１５】
１０は床板であり、床板１０には雨水や、ゴミ袋からでる水分や、結露が落ちるように貫通穴１１が空いている。１２はベースパイプである。
【００１６】
図３は、ゴミ収納庫１の背面のゴミ回収扉４ａ，４ｂ部分の上面図である。尚本体フレーム１ａとゴミ回収扉４ａ，４ｂと本発明の特徴である巻き込み防止板７との位置関係を説明するため、天井板は図示していない。
【００１７】
図３に示すように本体フレーム１ａとゴミ回収扉４ａ，４ｂとの間には、当該ゴミ回収扉４ａ，４ｂを直動レール５に沿って左右に移動自在にするための隙間がある。
【００１８】
このため、ゴミ収納庫１に多数のゴミ袋が投入された場合に、一部のゴミ袋がゴミ回収扉４ａ，４ｂ側に押し当てられていき、ゴミ回収者がゴミ回収扉４ａ，４ｂを開けようとした際に、当該ゴミ袋が本体フレーム１ａとゴミ回収扉４ａ，４ｂとの隙間に挟まれてしまい、ゴミ回収扉４ａ，４ｂが開かなくなるとか、開いたとしても、その挟まれたゴミ袋を引き抜く必要があり、ゴミ回収の作業性が悪いという問題があった。
【００１９】
そこで、本発明では本体フレーム１ａとゴミ回収扉４ａ，４ｂとの隙間を塞ぐよう、前記ゴミ回収扉４ａ，４ｂに当接するように巻き込み防止板７を設けている。この巻き込み防止板７は、本体フレーム１ａとゴミ回収扉４ａ，４ｂとの隙間に沿って、本体の上下方向に設けられている。ここで、図３に示すように巻き込み防止板７は、本体フレーム１ａに取り付けた巻き込み防止板固定用アングル８に、その先端がゴミ回収扉４ａ，４ｂの裏面に当接するようにスポット溶接されている。
【００２０】
これにより、ゴミ回収扉４ａ，４ｂを開けようとした場合に、ゴミ回収扉４ａ，４ｂの裏面が巻き込み防止板７により擦られながら開けられるため、上述したようなゴミ袋が本体フレーム１ａとゴミ回収扉４ａ，４ｂとの間に挟まれるといった問題を解消できる。尚、巻き込み防止板７がゴミ回収扉４ａ，４ｂに接するように設置しないまでも、ゴミ袋が本体フレーム１ａとゴミ回収扉４ａ，４ｂとの間に挟まれることのない程度の隙間を設けて設置しても構わない。
【００２１】
図４はゴミ回収扉４ａ，４ｂの直動レール５部分の拡大図である。
【００２２】
直動レール５は、図４に示すように本体フレーム１ａの上下位置に設置されたカムフォロア９を介してゴミ回収扉４ａ，４ｂが直動レール５に沿って左右に移動自在に構成されている。ゴミ回収扉４ａ，４ｂは直動レール５に沿って直動案内されるため、機械的強度や耐久性に優れている。
【００２３】
以上説明したように、ゴミ収納庫１のゴミ袋投入用のゴミ投入扉２ａ，２ｂをゴミ収納庫本体の正面に設け、ゴミ袋回収用のゴミ回収扉４ａ，４ｂをゴミ収納庫本体の背面に設けたことで、ゴミ袋の投入と回収とがそれぞれ反対側で行えるので、図６（ａ）に示すような塀のない歩道に道路に面して、ゴミ収納庫１を設置する場合でも、ゴミ投入扉２ａ，２ｂを歩道側に向け、ゴミ回収扉４ａ，４ｂを道路側に向けて設置することで、ゴミ袋の投入と回収とをゴミ収納庫１の違う側から行なうことができるので、便利かつ安全である。
【００２４】
また、ゴミ回収扉４ａ，４ｂと本体フレーム１ａとの間の隙間にゴミ袋が巻き込まれることを防止する巻き込み防止板７をゴミ回収扉４ａ，４ｂと接するように設けたので、ゴミ袋がゴミ回収扉４ａ，４ｂと本体フレーム１ａとの間の隙間に巻き込まれることがなくなり、ゴミ回収作業性が向上する。
【００２５】
なお、本実施形態ではゴミ投入扉２ａ，２ｂは１対であるが、多数対を本体の正面に並設してもよい。また、ゴミ回収扉４ａ，４ｂは１対であるが同様に多数対を本体の背面に並設してもよい。
【００２６】
以下、本発明の他の実施形態のゴミ収納庫について図５を参照しながら説明する。尚、一実施形態のゴミ収納庫と同等の構成については重複した説明を避けるため、同符号を付してその説明を省略する。
【００２７】
他の実施形態のゴミ収納庫２１の特徴は、一実施形態のゴミ収納庫１の背面に設けられたゴミ回収扉４ａ，４ｂの代わりに、図５に示すようにゴミ収納庫２１の側面に引き扉２２が設けられていることである。２３は当該引き扉２２の取っ手２３である。
【００２８】
このようなゴミ収納庫２１においても、図６（ｂ）に示すような塀のない歩道に道路に面して、ゴミ収納庫２１を設置する場合に、ゴミ投入扉２ａ，２ｂを歩道側に向けて設置することで、ゴミ袋の投入は歩道側から行え、ゴミ袋の回収は側面の引き扉２２を開けることで行える。従って、従来の図７（ｃ）に示したようなゴミ回収者が、ゴミ収納庫の正面にまで回り込んで（歩道側に深く入り込んで）ゴミ袋を回収する必要がなくなり、回収作業性が向上する。
【００２９】
また、引き扉２２であるため、ゴミ回収扉４ａ，４ｂと本体フレーム１ａとの間の隙間にゴミ袋が巻き込まれることがなく、巻き込み防止板７を設ける必要がないため、低コスト化が図れる。
【００３０】
なお、本実施形態ではゴミ投入扉２ａ，２ｂは１対であるが、多数対を本体の正面に並設してもよい。また、引き扉２２は１つであるが同様に多数を本体の側面に並設してもよい。
【００３１】
以上説明した本発明のゴミ収納庫は、ゴミ回収車がゴミを回収に来るまでの間当該ゴミ収納庫内にゴミ袋を投入しておけるため、カラス、野良犬、野良猫などによるゴミの散乱がなくなり、衛生的にも美観的にも良い。
【００３２】
また本発明のゴミ収納庫は、その構成部材をステンレス製とすることにより、積雪地、湿地、更には海岸近くなど、あらゆる使用環境に対応できる。
【００３３】
更に、本発明のゴミ収納庫は本体フレーム構造のため、頑丈であり、しかも一体型のため、フォークリフトで移動でき、設置作業が簡単である。
【００３４】
このような各種利点を有する本発明のゴミ収納庫は、学校、病院、飲食店、コンビニエンスストア、各事業所、町内会、更には各種イベント会場などに設置できる。
【００３５】
また本発明のゴミ収納庫は、ビルトインタイプとして、家屋の壁に備え付けて利用することもできる。例えば、ゴミ収納庫の本体は家屋の壁から屋外に張り出し、ゴミ投入扉２ａ，２ｂは屋内を望み、ゴミ回収扉４ａ，４ｂは屋外を望むように設置する。このように設置することで、屋内側からゴミをゴミ収納庫のゴミ投入扉２ａ，２ｂを通して投入でき、屋外側からゴミ回収扉４ａ，４ｂを通してゴミの回収作業ができるので便利である。
【００３６】
また、本発明のゴミ収納庫は、ゴミ以外の物を収納するための物置や収納庫としても利用できるものである。
【００３７】
【発明の効果】
本発明によれば、ゴミ収納庫のゴミ袋投入用のゴミ投入扉をゴミ収納庫本体の正面に設け、ゴミ袋回収用のゴミ回収扉をゴミ収納庫本体の背面に設けたことで、ゴミ袋の投入と回収とがそれぞれ反対側で行えるので、設置場所を選ばない。例えばゴミ収納庫を塀のない歩道に道路に面して設置した場合でも、ゴミ袋の投入と回収とがゴミ収納庫の異なる側から行なうことができるので、便利かつ安全である。
【００３８】
また、ゴミ回収扉と本体フレームとの間の隙間にゴミ袋が巻き込まれるのを防止する巻き込み防止板をゴミ回収扉と接するように設けたので、ゴミ袋がゴミ回収扉と本体フレームとの間の隙間に巻き込まれることがなくなり、ゴミ回収作業性が向上する。
【図面の簡単な説明】
【図１】本発明の一実施形態に係るゴミ収納庫を示す斜視図である。
【図２】本発明の一実施形態に係るゴミ収納庫を示す背面図である。
【図３】本発明の一実施形態に係るゴミ収納庫の要部上面図である。
【図４】本発明の一実施形態に係るゴミ収納庫の要部拡大図である。
【図５】本発明の他の実施形態に係るゴミ収納庫を示す斜視図である。
【図６】本発明のゴミ投入及びゴミ回収作業を示す図である。
【図７】従来の問題点を説明するための図である。
【符号の説明】
１，２１　　　ゴミ収納庫
２ａ，２ｂ　　ゴミ投入扉
４ａ，４ｂ　　ゴミ回収扉
５　　　　　　直動レール
７　　　　　　巻き込み防止板
８　　　　　　巻き込み防止板固定用アングル
９　　　　　　カムフォロア
１０　　　　　床板
１１　　　　　貫通穴
２２　　　　　引き扉
【図１】
2004123289.tif 000003
【図２】
2004123289.tif 000004
【図３】
2004123289.tif 000005
【図４】
2004123289.tif 000006
【図５】
2004123289.tif 000007
【図６】
2004123289.tif 000008
【図７】
2004123289.tif 000009